(57)【要約】【課題】  集めたゴミを廃棄する際の作業性向上に資する手押し型ローラー刷毛クリーナーの提供を図る。【解決手段】  ローラー刷毛を内蔵し且つ上方斜め後方に突き出した持手部を備えて底面が開放されると共に天面壁に矩形の開口部を設けて成る基箱体と、前記開口部に挿嵌される背面が開放されたゴミ受け箱体と、から成り、該ゴミ受け箱体は、正面壁が所定高さ位置において正面上壁と正面下壁とに上下に二分割されて、該正面上壁と天面壁とが固着されると共に該正面下壁と両側面壁及び底面壁とが固着され、且つ、正面上壁と正面下壁とはヒンジ機構を介して回動可能に連結された構成となっている。【選択図】図１
2015150263.tif 000002
【特許請求の範囲】
【請求項１】
ローラー刷毛を内蔵し且つ上方斜め後方に突き出した持手部を備えて底面が開放されると共に天面壁に矩形の開口部を設けて成る基箱体と、前記開口部に挿嵌される背面が開放されたゴミ受け箱体と、から成り、
前記基箱体は、最前部に前車輪が装着され、両側面壁後部に設けた軸受部にゴムタイヤを装着した後車輪の軸を軸承し、また側壁面における該軸受部より前方位置に設けた長孔を斜め後下がりに開口した左右対称な軸受孔にローラー刷毛の軸を軸承し、その軸の両外端にＶ溝従動輪を固着して、前記ローラー刷毛の軸が前記軸受孔の後下部に位置した時に前記ゴムタイヤの側面がそのＶ溝従動輪のＶ溝に接するようにして成り、前記後車輪が後退方向に回転すると前記ローラー刷毛の軸が軸受孔内を前上部に斜めに競り上がって前記ローラー刷毛が床面から離れる方向に進み、前記後車輪が前進方向に回転すると前記ローラー刷毛の軸が軸受孔内を斜めに降下して床面に押圧されつつ前記ゴムタイヤの側面がＶ溝従動輪のＶ溝面に接して前記ゴムタイヤからＶ溝従動輪へ回転が伝達されるようにして成り、
前記ゴミ受け箱体は、正面壁が所定高さ位置において正面上壁と正面下壁とに上下に二分割されて、該正面上壁と天面壁とが固着されると共に該正面下壁と両側面壁及び底面壁とが固着され、且つ、正面上壁と正面下壁とはヒンジ機構を介して回動可能に連結されて成り、底面壁における開放端辺縁にゴミ誘導板をその先端辺縁が床面に接するように下方に向けて設け、天面壁の表面所定箇所に操作レバーを備えると共に天面壁の裏面には該操作レバーに連動して側方へ進退する棒状体を備えて、該棒状体の進退に応じて天面壁と側面壁とをロック及びロック解除することで、前記ヒンジ機構による正面上壁と正面下壁の回動動作を制御することを特徴とする手押し型ローラー刷毛クリーナー。
【請求項２】
前記ゴミ受け箱体を前記基箱体の天面壁における開口部に挿嵌した状態で固定するための固定機構が備えられていることを特徴とする請求項１に記載の手押し型ローラー刷毛クリーナー。
【請求項３】
前記ゴミ受け箱体の天面壁の表面に、持ち運び用の把手部が備えられていることを特徴とする請求項１または請求項２に記載の手押し型ローラー刷毛クリーナー。
【請求項４】
前記前車輪が、方向自在なキャスターであることを特徴とする請求項１乃至３のいずれか記載の手押し型ローラー刷毛クリーナー。
【発明の詳細な説明】
【技術分野】
【０００１】
本発明は、床清掃用の手押し型クリーナーに関するものである。
【背景技術】
【０００２】
これまで、床を清掃するために各種の手押し型クリーナーが提供されているが、いずれのクリーナーも自由な操作が難しく、また不使用中の収納においては嵩張る点が難点であった。また、装置内部に貯えたゴミを簡単に出して捨てることができず、クリーナー自体の清潔を保つにも洗浄や清掃し難いなど、総体としていずれも使い勝手が良くなく、一般に普及するには至っていない。さらに、構造が複雑だったり壊れやすいなどの欠点を有するものが多く、特にクリーナーとしての本来の目的である奇麗に清掃することについては、これまでのものは、殆どが表面のゴミの多くを素通りしてしまい、満足のいくものではなかった。
【０００３】
上記のような問題を解消すべく、特開２００１−３７６９５号公報（引用文献１）に示す手押し型クリーナーが提案されている。すなわち、引用文献１記載の手押し型クリーナーは、手押し棒のグリップを握って前へ押して前進させると、ゴムタイヤからＶ溝従動輪へ回転が伝達されてローラー刷毛がゴミをゴミ誘導板上に撥ね上げるようにかき集められ、逆に手押し棒を引いて後退させると、ローラー刷毛の軸が軸受孔内を前上部に斜めに競り上がってＶ溝従動輪がゴムタイヤから離れて空回りして、ゴミの後ろへの撥ね上げが起こらず、また殆どローラー刷毛による抵抗を感じないで楽に後退させることが可能な構造となっている。
【０００４】
しかしながら、かかる引用文献１記載の手押し型クリーナーによれば、操作性や収納性、構造容易性等について格段に向上した技術提案であるが、前箱体内に集めたゴミを捨てる場合に、該前箱体を後箱体から分離して所定箇所に持ち運んで中のゴミを捨てるという態様を採ることとなるため、かかる分離作業に手間がかかると共に分離した前箱体を手で持ち運ぶ必要もあって、煩雑感を否めず、特に非力な人にとって作業困難性を有するものであった。
【０００５】
本願発明者は、以上のような集めたゴミの廃棄における作業性の問題に着目し、ゴミが溜まったゴミ受け箱体の構造を変更することで、かかる問題を解決できないかとの着想の下、基箱体から分離することなく中のゴミを廃棄することができるゴミ受け箱体を開発し、本出願における「手押し型ローラー刷毛クリーナー」の提案に至るものである。
【先行技術文献】
【特許文献】
【０００６】
【特許文献１】特開２００１−３７６９５号公報
【発明の開示】
【発明が解決しようとする課題】
【０００７】
そこで本発明は、上記問題点に鑑み、集めたゴミを廃棄する際の作業性向上に資する手押し型ローラー刷毛クリーナーを提供することを課題とするものである。
【課題を解決するための手段】
【０００８】
上記課題を解決するため、本発明にかかる手押し型ローラー刷毛クリーナーは、ローラー刷毛を内蔵し且つ上方斜め後方に突き出した持手部を備えて底面が開放されると共に天面壁に矩形の開口部を設けて成る基箱体と、前記開口部に挿嵌される背面が開放されたゴミ受け箱体と、から成り、前記基箱体は、最前部に前車輪が装着され、両側面壁後部に設けた軸受部にゴムタイヤを装着した後車輪の軸を軸承し、また側壁面における該軸受部より前方位置に設けた長孔を斜め後下がりに開口した左右対称な軸受孔にローラー刷毛の軸を軸承し、その軸の両外端にＶ溝従動輪を固着して、前記ローラー刷毛の軸が前記軸受孔の後下部に位置した時に前記ゴムタイヤの側面がそのＶ溝従動輪のＶ溝に接するようにして成り、前記後車輪が後退方向に回転すると前記ローラー刷毛の軸が軸受孔内を前上部に斜めに競り上がって前記ローラー刷毛が床面から離れる方向に進み、前記後車輪が前進方向に回転すると前記ローラー刷毛の軸が軸受孔内を斜めに降下して床面に押圧されつつ前記ゴムタイヤの側面がＶ溝従動輪のＶ溝面に接して前記ゴムタイヤからＶ溝従動輪へ回転が伝達されるようにして成り、前記ゴミ受け箱体は、正面壁が所定高さ位置において正面上壁と正面下壁とに上下に二分割されて、該正面上壁と天面壁とが固着されると共に該正面下壁と両側面壁及び底面壁とが固着され、且つ、正面上壁と正面下壁とはヒンジ機構を介して回動可能に連結されて成り、底面壁における開放端辺縁にゴミ誘導板をその先端辺縁が床面に接するように下方に向けて設け、天面壁の表面所定箇所に操作レバーを備えると共に天面壁の裏面には該操作レバーに連動して側方へ進退する棒状体を備えて、該棒状体の進退に応じて天面壁と側面壁とをロック及びロック解除することで、前記ヒンジ機構による正面上壁と正面下壁の回動動作を制御する構造となっている。
【０００９】
また、本発明にかかる手押し型ローラー刷毛クリーナーは、前記ゴミ受け箱体を前記基箱体の天面壁における開口部に挿嵌した状態で固定するための固定機構が備えられた構造となっている。
【００１０】
さらに、本発明にかかる手押し型ローラー刷毛クリーナーは、前記ゴミ受け箱体の天面壁の表面に、持ち運び用の把手部が備えられた構造を採用し得る。
【００１１】
またさらに、本発明にかかる手押し型ローラー刷毛クリーナーは、前記前車輪が、方向自在なキャスターである構造とすることができる。
【発明の効果】
【００１２】
本発明にかかる手押し型ローラー刷毛クリーナーによれば、チェーンやギヤーが全くない簡潔な構造であって、長期使用でも殆ど壊れることがなく、また、持手部を握って前へ押して前進させると、ゴムタイヤからＶ溝従動輪へ回転が伝達されてローラー刷毛がゴミをゴミ誘導板上に撥ね上げるようにかき集め、逆に持手部を引いて後退させると、ローラー刷毛の軸が軸受孔内を前上部に斜めに競り上がってＶ溝従動輪がゴムタイヤから離れて空回りして、ゴミの後ろへの撥ね上げが起こらないと共に殆どローラー刷毛による抵抗を感じないで楽に後退させることが可能であって、さらに、ゴミ受け箱体の天面壁表面の操作レバーを操作した上で持手部を下方へ押し下げることで、集められたゴミをゴミ受け箱体内から廃棄することが可能であるといった、従来にない優れた効果を奏するものである。
【図面の簡単な説明】
【００１３】
【図１】本発明にかかる手押し型ローラー刷毛クリーナーの実施形態を示す斜視図である。
【図２】本発明にかかる手押し型ローラー刷毛クリーナーの実施形態を示す側断面図である。
【図３】本発明にかかる手押し型ローラー刷毛クリーナーの実施形態を示す要部説明図である。
【図４】本発明にかかる手押し型ローラー刷毛クリーナーの使用態様を示す説明図である。
【発明を実施するための形態】
【００１４】
本発明は、ローラー刷毛を内蔵し且つ上方斜め後方に突き出した持手部を備えて底面が開放されると共に天面壁に矩形の開口部を設けて成る基箱体と、前記開口部に挿嵌される背面が開放されたゴミ受け箱体と、から成る手押し型クリーナーであって、ゴミ受け箱体を上下に二分割してヒンジ機構を介して回動可能に連結したことを最大の特徴とする。以下、本発明にかかる手押し型ローラー刷毛クリーナーの実施形態を、図面に基づき説明する。
【００１５】
なお、本発明は、下記の実施形態に示した構成・態様に限定されるものではなく、本発明の技術的思想の要旨に逸脱しない範囲で、任意に変更することができるものである。
【００１６】
図１乃至図３は、本発明にかかる手押し型ローラー刷毛クリーナーの実施形態を示しており、図１は斜視図、図２は側断面図、図３は要部説明図である。
本発明にかかる手押し型ローラー刷毛クリーナーは、ローラー刷毛を内蔵し且つ上方斜め後方に突き出した持手部を備えて底面が開放されると共に天面壁に矩形の開口部を設けて成る基箱体と、前記開口部に挿嵌される背面が開放されたゴミ受け箱体と、から構成されている。
【００１７】
前記持手部は、持手本体と支持棒とから成り、持手本体は前記基箱体の後部に上方斜め後方に突き出した状態で備えられ、当該持手本体を支持すべく、基箱体の後端部と持手本体との間で鎹状に支持棒が備えられている。なお、持手本体の基部を基箱体に対して前後角度が調節可能に枢支すると共に、支持棒の基部を基箱体の後端部に前後角度が調節可能に枢支し且つその支持棒の上端部が持手本体においてスライド可能として、夫々の接点を締め付け固定可能とすることで、持手部を床に対して斜め後方に角度調節可能とする態様が可能である。また、持手本体について、鞘筒内に挿入した中軸を出没させて全体の長さを変えて所望長さで締め付け固定できるようにする態様も可能である。
【００１８】
前記基箱体は、底面が全体開放されると共に、その天面壁には、後述するゴミ受け箱体を挿嵌するための矩形の開口部が設けられている。そして、該基箱体の最前部には前車輪が装着されると共に、両側壁面後部には軸受部が設けられ、該軸受部にはゴムタイヤを装着した後車輪の軸が軸承されている。なお、前車輪について方向自在なキャスターとすることが望ましく、かかる態様を採用することで、移動させたいと思う方向への操作が容易となる。
【００１９】
また、前記基箱体の側壁面における該軸受部より前方位置には、長孔を斜め後下がりに開口した左右対称な軸受孔が設けられ、該軸受孔にはローラー刷毛の軸が軸承されている。なおこのとき、該ローラー刷毛の刷毛先端の最下部が、前記後車輪の外周面の最下部よりも下方になるように、軸承されることとなる。
【００２０】
前記ローラー刷毛の軸の両外端には、両側面に外開き円盤を対向させてＶ溝を形成したＶ溝伝動輪が固着され、該ローラー刷毛の軸が前記軸受孔の後下部に位置した時に前記ゴムタイヤの側面がそのＶ溝従動輪のＶ溝面に接するようになっている。すなわち、前記ゴムタイヤのトレッド面がゴミなどで汚れたとしても、Ｖ溝従動輪側へはその汚れが移ることなく、Ｖ溝従動輪が汚れないという利点がある。
【００２１】
前記ゴミ受け箱体は、図３に示すように、前記基箱体の天面壁に設けられた開口部に挿嵌されるもので、背面が全体開放されて成る。該ゴミ受け箱体の正面壁は、その所定高さ位置において上下に二分割されており、正面上壁と正面下壁とに分かれている。そして、正面上壁と天面壁とが固着されていると共に、正面下壁と両側面壁及び底面壁とが固着されており、さらに、正面上壁と正面下壁とはヒンジ機構を介して回動可能に連結されている。
【００２２】
前記ヒンジ機構による正面上壁と正面下壁の回動動作を制御すべく、前記ゴミ受け箱体の天面壁の表面（上面）には、所定箇所に操作レバーが備えられている。また、該ゴミ受け箱体の天面壁の裏面（下面）には、該操作レバーに連動して側方へ進退する棒状体が備えられている。具体的には、ゴミ受け箱体の天面壁を回動可能に貫通する回動軸の上端に操作レバーを備えると共に、該回動軸の下端には板状体を備え、該板状体に棒状体の基端が遊動的に装着された構成となっている。なお、板状体の形状について、図面では方形状を示しているが、円形状や多角形状であってもよい。また、棒状体の基端を回動軸の下端に直接装着することで、板状体を備えない構成も考え得る。
【００２３】
かかる棒状体について、左右両側方へ進退すべく、図面に示すように、二本の棒状体が左右側方に向け夫々備えられることが望ましい。側面壁の上端部内側には掛止片が備えられ、棒状体の先端が該掛止片まで側方へ進出することで天面壁と側面壁とがロックされて、天面壁に固着された正面上壁と側面壁に固着された正面下壁との前記ヒンジ機構による回動が不可となる。逆に、該掛止片から棒状体が外れることで天面壁と側面壁とのロックが解除され、正面上壁と正面下壁とが回動可能となる。
【００２４】
前記ゴミ受け箱体の底面壁における開放端辺縁には、その幅全体にゴミ誘導板が設けられており、該ゴミ誘導板の先端辺縁が床面に接するように下方に向けて固定されている。かかるゴミ誘導板は、板ゴムや柔軟樹脂素材から成り、常に床面に密接するように構成される。なお、底面壁に対しては、ゴミ誘導板の先端辺縁などが摩耗損傷したときに別のものと交換できるよう、ボルトなどで着脱可能に固定されることが望ましい。
【００２５】
なお、前記ゴミ受け箱体の天面壁の表面に、持ち運び用の把手部を備える態様も可能である。かかる把持部を備えることで、前記基箱体への挿嵌・取り外し作業が容易となり、持ち運びに便利である。
【００２６】
前記ゴミ受け箱体は、前記基箱体の天面壁における開口部に挿嵌されることとなるが、挿嵌した状態においてゴミ受け箱体がガタついたりすることのないよう、該ゴミ受け箱体を基箱体に固定するための固定機構を備えることが望ましい。かかる固定機構の具体的構造については、特に限定するものではないが、例えば基箱体とゴミ受け箱体の何れか一方に突起を設けると共に何れか一方にフックを設け、該突起をフックに引っ掛け固定する構造などが考え得る。その他にも、何れか一方に設けた連結板を介して他方をボルトなどで締め付ける構造なども可能である。
【００２７】
以上の通り構成される本発明の手押し型ローラー刷毛クリーナーによれば、後車輪が後退方向に回転すると、前記後車輪にローラー刷毛の軸に固定されているＶ溝従動輪が押され、その軸が軸受孔に案内されてその軸受孔の前上部に向かって斜めに競り上がり、前記ローラー刷毛が床面から離れる方向に進む。そしてさらに、押さえ付けられていた前記ローラー刷毛が刷毛の弾力により反発して刷毛外周先端が床面に接する状態まで競り上げられる。そしてこのときＶ溝従動輪は後車輪から離された状態（空回り状態）となる。
【００２８】
また、クリーナーを前進させると、図４（ａ）で示すように、床面の抵抗で前記ローラー刷毛の軸が軸受孔内を斜め後ろに降下して行き、前記後車輪の前進方向の回転によって、前記ゴムタイヤの側面がそのＶ溝従動輪のＶ溝面に接して前記ゴムタイヤからＶ溝従動輪へ回転が伝達され、さらに軸受孔に沿ってローラー刷毛を巻き込むように押し下げて、刷毛外周先端を床面に押圧しつつ回転する。このときローラー刷毛の先端が進行方向にゴミを撥ね上げるように回転し、撥ね上げられたゴミはゴミ誘導板上を案内されてゴミ受け箱体の空間内にかき集められる。
【００２９】
ゴミ受け箱体内に集められたゴミを廃棄する場合は、図４（ｂ）で示すように、該ゴミ受け箱体の天面壁表面に備えられた操作レバーを回動操作して該天面壁と側面壁とのロックを解除して、正面上壁と正面下壁とを回動可能状態にする。その状態で持手部を下方へ押し下げると、後車輪を支点として基箱体の前部が上方へ持ち上げられる。これにより、ゴミ受け箱体の天面壁及び正面上壁は基箱体に追随して上方へ持ち上げられると共に、正面下壁及び側面壁及び底面壁は自重によりヒンジ機構を介して回動して下方に向きを変えられ、該底面壁が斜めに傾斜することとなる。これにより、ゴミ受け箱体内のゴミは底面壁を滑るように自然落下し、外部へ廃棄されることとなる。
【産業上の利用可能性】
【００３０】
本発明にかかる手押し型ローラー刷毛クリーナーは、上述したようにゴミ受け箱体が回動可能に上下に分割されているため、ゴミを廃棄する場合に、基箱体からゴミ受け箱体を取り外す必要なく、操作レバーによりロック解除して持手部を下方へ押し下げるだけで足りるため、操作性及び作業性の向上に資すると共に、クリーナー全体構造もチェーンやギヤーが全くない簡潔な構造であって、本発明の産業上の利用可能性は大であると思料する。
【符号の説明】
【００３１】
１    手押し型ローラー刷毛クリーナー
１０    基箱体
１２    天面壁
１２ａ  開口部
１３    側面壁
１６    軸受部
１８    軸受孔
２０    ゴミ受け箱体
２１    正面壁
２１ａ  正面上壁
２１ｂ  正面下壁
２２    天面壁
２３    側面壁
２３ａ  掛止片
２４    底面壁
２４ａ  開放端辺縁
２５    ヒンジ機構
２６    ゴミ誘導板
２６ａ  先端辺縁
２７    操作レバー
２７ａ  回動軸
２７ｂ  棒状体
２７ｃ  板状体
２８    把手部
２９    固定機構
２９ａ  突起
２９ｂ  フック
３０    持手部
３２    持手本体
３２ａ  基部
３４    支持棒
３４ａ  基部
３４ｂ  上端部
４０    ローラー刷毛
４０ａ  軸
４１    Ｖ溝従動輪
４１ａ  Ｖ溝
４２    前車輪
４２ａ  キャスター
４４    後車輪
４４ａ  軸
４４ｂ  ゴムタイヤ
Ｆ    床面
【図１】
2015150263.tif 000003
【図２】
2015150263.tif 000004
【図３】
2015150263.tif 000005
【図４】
2015150263.tif 000006